(57)【要約】【課題】  メールボックスを持つメールサーバにて、ＣＰＵ暴走や、ハードディスク破損等の障害発生時にメールが消失してしまい、メールを取得できなくなってしまう事があった。【解決手段】  メールサーバからメール再送リクエストと、事前に記録してあるメールサーバ停止時刻、起動時刻を送信し、中間サーバ内に格納されている複製メールの内、リクエストされた時刻情報に該当するメールを抽出し、再送する事でメールの消失を防ぐ。【選択図】  図６
2011004112.tif 000002
【特許請求の範囲】
【請求項１】
メールの送受信を行うシステムであって、
ユーザのメールボックスを持つメールサーバ（１０４）と、
外部から送信されたメールを前記メールサーバ（１０４）へ転送する中間サーバ（１０３）と、
前記中間サーバ（１０３）に内蔵もしくは、外付けされている記憶装置（１０６）と、
前記中間サーバ（１０３）から、前記メールサーバ（１０４）へのメールの転送と同時に、メールのコピーを前記記憶装置（１０６）に記憶させる手段（３０１）と、
前記のメールサーバ（１０４）から、前記中間サーバ（１０３）にメールの再送リクエストを出す手段（３１３）と、
前記中間サーバ（１０３）から前記記憶装置（１０６）内に保存されている前記再送リクエストに合致したメールを抽出する手段（３０４）と、
前記中間サーバ（１０３）から、前記リクエストを出したメールサーバ（１０４）へ前記抽出されたメールを再送する手段（３０５）と、
を備えるメールシステム。
【請求項２】
前記ユーザのメールボックスを持つメールサーバ（１０４）は、
時刻記録処理部（３１２）を有し、
前記メールサーバが停止した時間、
前記メールサーバが再開した時間を記録する事を特徴とする請求項１に記載のメールシステム。
【請求項３】
前記再送リクエストは、
前記メールサーバ（１０４）で記録された前記メールサーバ（１０４）が停止した時間、
前記メールサーバ（１０４）が再開した時間を検索条件として、
前記中間サーバ（１０３）に再送リクエストと共に出される事を特徴とする請求項１に記載のメールシステム。
【請求項４】
前記ユーザのメールボックスを持つメールサーバ（１０４）は、
システム管理者が前記再送リクエストを出すために利用するUI部（２０７）を有し、
前記UI部（２０７）は前記システム管理者が再送するメールの時間帯を入力する入力部（２０８）を有し、
前記再送リクエストと共に中間サーバ（１０３）へ出す事を特徴とする請求項１に記載のメールシステム。
【発明の詳細な説明】
【技術分野】
【０００１】
本発明は、メールの送受信を行うシステムにおいて、ユーザのメールボックスを持つメールサーバ内のハード障害、破損、キャッシュデータの消失等による、メールの消失を防ぐための制御方法に関する。
【背景技術】
【０００２】
従来、ＬＡＮ（ローカルエリアネットワーク）などのネットワークで接続された複数の端末の間でメッセージの送受信を行う電子メールシステムが広く普及してきている。
【０００３】
例えば、ユーザのメールボックスを持つメールサーバに障害が発生した際、従来の電子メールシステムにおける、メールのバックアップ手法としては、筐体を複数台用いてのデータのミラーリング手法がある。
【０００４】
これを利用することにより、１台のサーバに障害が発生したとしても、ミラーリングをしているサーバにフェイルオーバー操作をすることでメールの消失を防げる。
【０００５】
一方、上述の手法では、複数の筐体を用いる必要があるため余分なコストがかかるという事から、メールサーバ１台でのデータのアーカイブによるテープバックアップ手法がある。
【０００６】
この手法は、定期的にデータのバックアップを取る事でメールの消失を防げるが、前回バックアップ時からメールサーバに障害が発生した際までのメールの消失を防ぐ事が出来ない。
【０００７】
このようなメールサーバの障害によるメールの消失を防ぐために、外部から送信されたメールを受信してメールサーバに転送する中間サーバから、メールサーバの死活を検知し、再送待ちメールの有無を判断した上でメールを再送するものがある（例えば特許文献１）。またメールの再送において、メールサーバでメールを受信して開封されるまでの期間と、メールの開封状態を中間サーバ内の再送メールを取得する際の検索条件とし、検索条件に合致したメールを再送するものがある。（例えば特許文献２）
【先行技術文献】
【特許文献】
【０００８】
【特許文献１】特開平８−１８６５９３号公報
【特許文献２】特開２００２−３３０１７０号公報
【発明の概要】
【発明が解決しようとする課題】
【０００９】
しかしながら従来技術では、メールサーバにて、CPU、コントローラ等の障害が起きた時、受信したメールがディスクに書き込まれずに保存されないまま消失してしまう。
【００１０】
また、ソフト障害によるマシンのハングアップによる、キャッシュデータ、スプールデータが損失してしまい、ユーザがメールを取得かつ、閲覧出来ないという事もある。
【００１１】
さらに、従来のバックアップ技術において、データのアーカイブによるテープバックアップでは、定期的にバックアップを行うが、ハードディスク破損等のハード障害により、前回バックアップ時から障害発生時の間に保存されたメールが消失するという問題があった。
【課題を解決するための手段】
【００１２】
上述した課題を解決するために、本発明におけるメール再送システムは、外部からネットワークを介して、ｓｍｔｐを利用し送信されたメールを受信する中間サーバと、
受信したメールの複製を格納する中間サーバに内蔵もしくは、外付けされた複製メール記憶装置と、中間サーバから転送されたメールを受信するユーザのメールボックスを持つメールサーバで構成されている。
【００１３】
上記構成においてメールサーバに障害が発生した場合、サービス再開後にメールサーバから中間サーバにメールの再送リクエストを出す。この際、メールサーバで記録したメールサーバが停止した時刻(From)とサービスが再開された時刻(To)を中間サーバへ送信する。
【００１４】
そして、リクエストを受けた中間サーバは前記時間帯（From〜To）を検索条件として、メールのコピーを保存している外部の記憶装置内のメールを検索し、
検索条件と合致したメールを抽出して、中間サーバからリクエストを出したメールサーバへメールを転送する。
【００１５】
さらに本発明におけるメール再送システムは、
メールサーバ内での時刻記録処理が正常に行われず、障害時間が特定できない場合でも、メールサーバ上で、管理者がUI上で時間帯を指定し、再送リクエストとして中間サーバへ指定された時間帯を検索条件として送信することで、
検索条件に合致したメールを記憶装置内から抽出し、中間サーバからメールサーバへ転送する事も可能とする。
【００１６】
上記手法により、データのアーカイブによるテープバックアップで問題となっていたメールサーバのハードディスク破損による、サービス復旧以前のメールデータのバックアップを取ることが出来ない点に関して、
中間サーバにコピーして保存してあるメールを、管理者がUI上で指定した時間帯を検索条件とすることで解消される。
【発明の効果】
【００１７】
本発明によれば、メールサーバ内のハードディスクの物理的破損、CPU暴走、キャッシュデータの消失などの障害でのメールの消失が発生した場合、メールサーバ復旧後にメールサーバからメール再送リクエストとメールサーバ停止時刻、起動時刻を送信し、送信された時刻情報に該当する中間サーバに格納された複製メールを抽出し、再送する事でメールの消失を防げる。
【００１８】
また、本発明では、メールサーバ内の時刻処理部で障害が発生し、自動で再送リクエストを出す事が不可能になっても、システム管理者がUI上で再送したいメールを外部から受信した時間帯を指定してメール再送リクエストを出す。
【００１９】
そして、上述の操作により、中間メールサーバからメールサーバにメールを再送する事でメールの消失を防ぐ事も出来る。
【図面の簡単な説明】
【００２０】
【図１】本発明の第1の実施形態に係るメール再送システムのシステム概念図である。
【図２】本発明の第1の実施形態に係るメール再送システムのサーバのハードウェア構成図である。
【図３】本発明の第1の実施形態に係るメール再送システムのソフトウェア構成図である。
【図４】本発明の第1の実施形態に係るメール再送システムにおける中間サーバにて、外部から受信したメールの複製を記憶する処理を示すフローチャートである。
【図５】本発明の第1の実施形態に係るメール再送システムにおけるメールサーバにて、自動でメール再送リクエストを中間サーバに出す処理の概念図である。
【図６】本発明の第1の実施形態に係るメール再送システムにおけるメールサーバにて、自動でメール再送リクエストを中間サーバに出す処理の概念図である。
【図７】本発明の第1の実施形態に係るメール再送システムにおけるメールサーバにて、記録されたメールデータ、メールアドレス、メールが保存された時刻を示す表である。
【図８】本発明の第２の実施形態に係るメール再送システムのソフトウェア構成図である。
【図９】本発明の第２の実施形態に係るメール再送システムにおけるメールサーバにて、システム管理者が再送するメールが以前に保存された時間帯を入力し、メールを再送する処理の流れを示すフローチャートである。
【図１０】本発明の第２の実施形態に係るメール再送システムにおけるメールサーバ上の、再送したいメールの時間帯入力指定をするためのＵＩの例である。
【図１１】本発明の第２の実施形態に係るメール再送システムにおけるメールサーバにて、記録されたメールデータ、メールアドレス、メールが保存された時刻を示す表である。
【発明を実施するための形態】
【００２１】
以下、本発明を実施するための最良の形態について図面を用いて説明する。
【００２２】
（用語の定義）
発明を実施するための最良の形態を説明するにあたり、用語の定義を行う。
【００２３】
外部からインターネットを介してsmtp(Simple Mail Transfer Protocol)を利用し送信されたメールを受信するサーバを中間サーバと呼ぶ。
【００２４】
中間サーバから転送されたメールを受信するサーバおよび、ユーザのメールボックスを有するサーバをメールサーバと呼ぶ。
【００２５】
外部から送信されたメールの複製を記憶するための、中間サーバに内蔵、または外付けされた記憶装置を一時退避用ディスクと呼ぶ。
【００２６】
メールクライアントアプリケーションをメールクライアントと呼ぶ。
【００２７】
メールを再送する際に、メールサーバ上でシステム管理者が再送リクエストと同時に、指定する時間を入力し、送信するためのUIを備えたシステムをメール再送システムと呼ぶ。
【実施例１】
【００２８】
本発明の第一実施の形態を図１から図３に基づき説明する。図１、図２は、本実施例が前提とする構成手段の説明であり、図３から図７は本発明を具現化する手段の説明である。
【００２９】
［システム構成］
図１は、本発明の実施形態に係るメール再送システムのシステム構成図である。メール送信側クライアントＰＣ１０１は、ネットワーク１０２を介して中間サーバ１０３、及びメールサーバ１０４、メール受信側クライアントＰＣ１０５と接続されている。
【００３０】
１０６は中間サーバに内蔵もしくは外付けされている複製メール格納ディスクである。
【００３１】
１０７はメールクライアントを利用してメールを送信するユーザであり、１０８はメールクライアントを利用してメールを受信するユーザである。
【００３２】
ユーザ１０６がクライアントＰＣ１０１にて、メールクライアントを用いてクライアントＰＣ１０２へメールを送信すると、インターネットもしくはイントラネット等のネットワークを介してsmtpを利用し、中間サーバ１０３にメールが送信される。そして、中間サーバ１０３から、メールサーバ１０４へメールを転送すると同時に、複製メール記憶ディスク１０６にメールの複製を保存する。
【００３３】
メールサーバ１０４で受信されたメールを、ユーザ１０８がクライアントＰＣ１０５上のメールクライアントからＰＯＰ（Post Office Protocol）操作をメールサーバ１０４へ指示した時、メールサーバ１０４に受信されたメールをクライアントＰＣ１０５へ取得する。本実施例において、クライアントＰＣ１０１、１０５はネットワーク上に複数存在してよい。またメールクライアントはメールを送受信するための専用のアプリケーションでもよく、或いはＷｅｂブラウザ上で動作するＷｅｂアプリケーションでも構わない。
【００３４】
［ハードウェア構成］
図２は、本発明の実施形態に係るメール再送システムを構成する各サーバのハードウェア構成図を示している。に示されるハードウェア構成図は一般的な情報処理装置のハードウェア構成図に相当するものとし、本実施形態の各サーバには一般的な情報処理装置のハードウェア構成を適用できる。
【００３５】
図２において、メールサーバ１０４では、ＣＰＵ２００は、ＲＯＭ２０２のプログラム用ＲＯＭに記憶された、或いはハードディスクドライブ（ＨＤＤ）２０９からＲＡＭ２０１にロードされたＯＳやアプリケーション等のプログラムを実行する。ここでＯＳとはコンピュータ上で稼動するオペレーティングシステムの略語であり、以下オペレーティングシステムのことをＯＳと呼ぶ。後述する各フローチャートの処理はこのプログラムの実行により実現できる。ＲＡＭ２０１は、ＣＰＵ２００の主メモリ、ワークエリア等として機能する。キーボードコントローラ２０３は、キーボード２０７からのキー入力を制御する。ディスプレイコントローラ２０４は、各種ディスプレイ２０８の表示を制御する。ディスクコントローラ２０５は、メールデータを記憶するハードディスクドライブ２０９におけるデータアクセスを制御する。通信インタフェイス（Ｉ／Ｆ）２０６はネットワークに接続されて、ネットワークに接続された他の機器との通信制御処理を実行する。
【００３６】
［ソフトウェア構成］
図３は、本発明の実施形態に係るメール再送システムの一例を示すソフトウェア構成図であり、中間サーバ１０３、及びメールサーバ１０４内のソフトウェア構成を示している。
【００３７】
メール受信部３０１は外部からネットワークを介してsmtpを利用して送信されたメールを受信する中間サーバ１０３のメール受信部である。受信したメールをメール転送部３０２へ送信する。また、メール受信部３０１は受信したメールの複製を作成し、複製メール記憶部３０６へ格納する。
【００３８】
メール転送部３０２はメールサーバ１０４内のメール受信部３１１にメールを転送する。
【００３９】
複製メール検索部３０３は、複製メール記憶部３０６に格納されたメールを検索する。
【００４０】
検索結果取得部３０４は、複製メール記憶部３０６に格納されているメールを検索した結果、得られた複数のメールを取得する。
【００４１】
メール再送部３０５は、検索結果取得部３０４で得られた複数メールをメールサーバ１０４内のメール受信部３１１に転送する。
【００４２】
複製メール記憶部３０６は、メール受信部３０１で受信し、作成されたメールの複製を格納する。
【００４３】
メールサーバ１０４内のメール受信部３１１は、中間サーバ１０３内のメール転送部１０４から転送されたメールを受信する。
【００４４】
時刻記録部３１２は、メールサーバ１０４が停止した時刻、起動した時刻を記録し、メール再送リクエスト部３１３に時刻情報を送信する。
【００４５】
メール再送リクエスト部３１３は、時刻記録部３１２から送信された時刻情報を検索条件として、中間サーバ１０３内の複製メール検索部へメール再送リクエストと検索条件を送信する。
【００４６】
メールデータ記憶部３１４は、メール受信部３１１で受信したメールを格納し、ユーザがメールクライアントでＰＯＰ操作をメールサーバ１０４に指示した時にメールを取得する事が出来る。
に示す構成要素は本発明に関連のある部分のみ図示したものであり、メール再送システムの構成要素はもちろんこれだけに限らない。
【００４７】
以下、本発明の第一の実施形態に係るメール再送システムの各ステップにおける処理について、からを用いて具体的に説明する。
【００４８】
[複製メール記憶手段]
図４は中間サーバ１０３において、外部のクライアントＰＣ１０１からメールクライアントを用いて送信されたメールを受信し、受信したメールの複製を作成し、複製メール記憶部３０６に格納する。そして、メールサーバ１０４にメールを転送する処理の流れを示すフローチャートである。
【００４９】
図４のステップ４０１において、外部からネットワーク１０２を介して、ｓｍｔｐを利用し送信されたメールを受信する。次にステップ４０２において、メール受信部３０１で受信したメールの複製を作成し、複製メール記憶部３０６に格納する。そしてステップ４０３において、複製元のメールをメールサーバ１０４へ転送する。
【００５０】
[自動メール再送リクエスト送信手段]
図５はメールサーバ１０４において、メール再送リクエストを中間サーバ１０３に送信し、メールを再送する処理の流れを示すフローチャートであり、はその概念図である。
【００５１】
図５のステップ５０１において、過去にメールサーバ１０４がサーバダウンもしくは、何かしらの外部要因によって停止したか否かを判断する。停止した場合はステップ５０２にて、メールサーバ１０４内の時刻記録部３１２で記録したメールサーバ１０４の停止時刻、起動時刻を中間サーバ１０３内の複製メール記憶部３０６に格納されているメールを抽出するための検索条件として、複製メール検索部３０３へメール再送リクエストと同時に送信する。
【００５２】
さらにステップ５０３において、ステップ５０２で送信された検索条件を複製メール検索部３０３に設定する。また、メール再送リクエストを送信したメールサーバ１０３のサーバ名ないし、ＩＰアドレスも検索条件として設定する。
【００５３】
さらにステップ５０４では、ステップ５０３で設定した検索条件を基に、複製メール記憶部３０６に格納されているメールを検索する。
【００５４】
次にステップ５０４で検索条件に該当するメールがあるか否かを判断する。ステップ５０５において、ステップ５０３で設定した検索条件（メールサーバ１０４停止時刻から起動時刻までの期間、再送先サーバ）に該当するメールがあればステップ５０６で該当するメールを抽出する。
【００５５】
ステップ５０７で、ステップ５０６で抽出したメールをメール再送部３０５に送信し、メールサーバ１０４内のメール受信部３１１に抽出したメールを転送する。
【００５６】
図６は図５のフローチャートを補足する概念図である。メールサーバから中間サーバにメール再送リクエスト６０３を送信する。その際、メールサーバで記録してあるサーバ停止時刻６０４とサーバ起動時刻６０５も送信する。
【００５７】
そして、メール再送リクエスト６０３を受信した中間サーバに内蔵、もしくは外付けされている複製メール記憶部６０１に格納されているメールを、
メール再送リクエスト６０３と共に送信された時刻情報（サーバ停止時刻６０４、サーバ起動時刻６０５）を検索条件として、再送するメールに該当するか否かを検索する。そして、検索条件に合致した該当メール６０２を抽出し、メールサーバへ再送する。
【００５８】
図７はメールサーバ内で記録されたメールデータ、メールアドレス、メールが保存された時刻を示す表である。一例として、ＣＰＵ暴走によるメールのキャッシュデータ消失等の障害が受信時刻７０１以前で発生した場合、障害発生時刻および受信時刻７０１から、メールサーバが復旧した時刻および、受信時刻７０２以前の間のメールが消失してしまい、ユーザは取得する事が出来なくなってしまう。
【００５９】
本アイデアでは、ＣＰＵ暴走、ハードディスクドライブ破損等による、障害発生時から障害復旧時までに格納してあったメールが消失したとしても、自動でサーバ停止時刻、サーバ起動時刻を記録し、メール再送リクエストと共に送信し、該当するメールおよび受信時刻７０１から７０２の期間のメールを再送する事で、メールの消失を防ぐ事が出来るという多大な効果が期待できる。
【実施例２】
【００６０】
本発明の第二の実施形態を図８から図１１に基づき、説明する。第二の実施形態では、時刻記録処理に異常が発生した場合でも、システム管理者が再送したいメールが中間サーバに格納された時間帯を指定し、メール再送リクエストを送信する処理の流れとなる。
【００６１】
システム構成、及びハードウェア構成は第一の実施形態と同様のため省略する。
【００６２】
[ソフトウェア構成]
ソフトウェア構成を図８に示す。図３との違いはメール再送時間帯指定部８０１が加わったことである。メール再送時間帯指定部８０１はメールサーバ１０４のシステム管理者によって入力指定された時間帯を受け付け、メール再送リクエスト送信部（３１３）に入力された時間帯情報を送信する。時間帯入力画面および、そのＵＩはメールサーバ１０４の機能の一部として用意しても良いし、別のアプリケーションであっても良い。
【００６３】
[手動メール再送リクエスト送信手段]
図９はメールサーバ１０４において、システム管理者が再送するメールが以前に保存された時間帯を入力し、メールを再送する処理の流れを示すフローチャートである。
【００６４】
図５のフローチャートと異なる点は、図５におけるステップ５０１でメールサーバが過去に停止したか否かを判断するという点が無い。メールサーバ１０４のシステム管理者がステップ９０１で再送するメールを取得するために、取得したい時間帯を入力指定する。次に入力指定された時間帯が存在するか、または正確に入力されているか否かをステップ９０２で判断し、メール再送リクエストと共に、入力された情報を中間サーバ１０３へ送信する。
【００６５】
また、上記処理以降の処理に関しては、図５のフローチャートと同様の処理のため、説明は省略する。
【００６６】
[メール再送リクエストにおける時間帯入力指定のＵＩ]
図１０はメール再送リクエスト送信における、再送したいメールの時間帯入力指定をするためのＵＩ１００１の例である。ＵＩ１００１はメールサーバ１０４上にあり、再送したいメールを取得する開始時刻１００２と、終了時刻１００３の入力欄を有する。そして、確定ボタン１００４を選択すると、入力した開始時刻と、終了時刻が存在するか、正確であるかをシステム側で判断する。そして、入力した時刻情報が存在し、正確であれば、メール再送リクエストと共に中間サーバ１０３へ送信する。
【００６７】
本ＵＩは例であり、もちろんこれに限るものではない。
【００６８】
図１１はメールサーバ内で記録されたメールデータ、メールアドレス、メールが保存された時刻を示す表である。
【００６９】
一例として、ハードディスクドライブ破損等による障害が受信時刻１１０１以前で発生し、メールサーバ１０４内での時刻記録処理部３１２に異常が発生した場合、障害発生時刻および受信時刻１１０１以前に送信されたメール、メールサーバが復旧した時刻および、受信時刻１１０２以前のメールが消失してしまい、ユーザは取得する事が出来なくなってしまう。
【００７０】
本アイデアでは、ハードディスクドライブ破損、メールサーバ１０４の時刻岐路処理部３１２の異常による、障害復旧時以前までに格納してあったメールが消失したとしても、メールサーバ上でシステム管理者が再送するメールの時間帯を入力指定し、入力指定した時刻情報をメール再送リクエストと共に送信し、該当するメールおよび受信時刻１１０２以前の時刻のメールを再送することで、メールの消失を防ぐ事が出来る。
【符号の説明】
【００７１】
１０１  本発明の実施形態に係るメール送信側クライアントPC
１０２  本発明の実施形態に係るネットワーク
１０３  本発明の実施形態に係る中間サーバ
１０４  本発明の実施形態に係るメールサーバ
１０５  本発明の実施形態に係るメール受信側クライアントPC
１０６  本発明の実施形態に係る中間サーバに内蔵もしくは外付けされている複製メール格納ディスク
１０７  本発明の実施形態に係るメールクライアントを利用してメールを送信するユーザ
１０８  本発明の実施形態に係るメールクライアントを利用してメールを受信するユーザ
２０１  本発明の実施形態に係るメール再送システムを構成するサーバのRAM
２０２  本発明の実施形態に係るメール再送システムを構成するサーバのROM
２０３  本発明の実施形態に係るメール再送システムを構成するサーバのキーボードコントローラ
２０４  本発明の実施形態に係るメール再送システムを構成するサーバのディスプレイコントローラ
２０５  本発明の実施形態に係るメール再送システムを構成するサーバのディスクコントローラ
２０６  本発明の実施形態に係るメール再送システムを構成するサーバの通信インタフェイス(Ｉ／Ｆ)
２０７  本発明の実施形態に係るメール再送システムを構成するサーバに接続されるキーボード
２０８  本発明の実施形態に係るメール再送システムを構成するサーバに接続されるディスプレイ装置
２０９  本発明の実施形態に係るメール再送システムを構成するサーバに接続されるメールデータを記憶するハードディスクドライブ（ＨＤＤ）
３０１  本発明の実施形態に係る中間サーバにおける外部からネットワークを介してsmtpを利用して送信されたメールを受信する。また、受信したメールの複製を作成するメール受信部
３０２  本発明の実施形態に係る中間サーバにおけるメールサーバへメールを転送するメール転送部
３０３  本発明の実施形態に係る中間サーバにおける複製メール記憶部に格納されたメールを検索する複製メール検索部
３０４  本発明の実施形態に係る中間サーバにおける複製メール検索部で該当したメールを取得する検索結果取得部
３０５  本発明の実施形態に係る中間サーバにおける検索結果取得部で得られた複数のメールをメールサーバに再送するメール再送部
３０６  本発明の実施形態に係る中間サーバにおけるメール受信部で作成されてメールの複製を記憶する複製メール記憶部
３１１  本発明の実施形態に係るメールサーバにおける中間サーバ内のメール転送部から転送されたメールを受信するメール受信部
３１２  本発明の実施形態に係るメールサーバにおけるメールサーバが停止した時刻、起動した時刻を記録する時刻記録部
３１３  本発明の実施形態に係るメールサーバにおける中間サーバへメール再送リクエストを出すメール再送リクエスト部
３１４  本発明の実施形態に係るメールサーバにおけるメール受信部で受信したメールを格納し、ユーザがメールクライアントでＰＯＰ操作を指示すると、メールを取得できるメールデータ記憶部
【図１】
2011004112.tif 000003
【図２】
2011004112.tif 000004
【図３】
2011004112.tif 000005
【図４】
2011004112.tif 000006
【図５】
2011004112.tif 000007
【図６】
2011004112.tif 000008
【図７】
2011004112.tif 000009
【図８】
2011004112.tif 000010
【図９】
2011004112.tif 000011
【図１０】
2011004112.tif 000012
【図１１】
2011004112.tif 000013